【手続補正書】
【提出日】平成26年7月18日(2014.7.18)
【手続補正１】
【補正対象書類名】特許請求の範囲
【補正対象項目名】全文
【補正方法】変更
【補正の内容】
【特許請求の範囲】
【請求項１】
診断装置であって、
該装置は、
密閉されたケースであって、該密閉されたケースは、生体適合性材料を含み、ヒト対象の身体内の埋込みのために構成される、密閉されたケースと、
少なくとも１つのアンテナであって、該少なくとも１つのアンテナは、標的組織に近接して該身体の中に埋め込まれ、該標的組織を通して伝搬された無線周波数（ＲＦ）電磁波を受信し、該受信された波に応答して信号を出力するように構成される、少なくとも１つのアンテナと、
処理回路であって、該処理回路は、該ケース内に含有され、該アンテナからの該信号を受信および処理するために連結されることにより、該標的組織の特色の指標を導出および出力する、処理回路と
を含む、装置。
【請求項２】
前記少なくとも１つのアンテナは、前記波を前記身体の中に伝送し、前記標的組織を通る該波の伝搬後に、該伝送された波を受信するように構成される、請求項１に記載の装置。
【請求項３】
前記少なくとも１つのアンテナは、前記身体の中の組織からの前記波の反射後に、該波を受信するように構成され、前記処理回路は、前記対象の心拍および呼吸運動のうちの少なくとも１つに起因する該反射の変調を検出するように構成される、請求項２に記載の装置。
【請求項４】
前記変調は、前記心拍に起因する周期的変動を含む、請求項３に記載の装置。
【請求項５】
前記少なくとも１つのアンテナを含有する前記ケースから、前記標的組織を横断する場所の中の前記身体の中の埋込みのために構成された反射器を含み、該反射器は、該少なくとも１つのアンテナに向かって前記波を反射させるための構造としての役割を果たす、請求項２に記載の装置。
【請求項６】
前記反射器は、前記身体の中に埋め込まれる埋込み式心臓デバイス（ＩＣＤ）の一部である、請求項５に記載の装置。
【請求項７】
前記少なくとも１つのアンテナを含有する前記ケースから、前記標的組織を横断する場所の中の前記身体の中に埋め込まれ、該標的組織を通して前記波を伝送するように構成される送信機を含む、請求項１に記載の装置。
【請求項８】
前記処理回路は、前記標的組織の体液含有量の測定値を導出するように、前記信号を処理するように構成される、請求項１−７のいずれかに記載の装置。
【請求項９】
前記ケースは、胸部の中の埋込みのために構成され、前記標的組織は、肺組織である、請求項８に記載の装置。
【請求項１０】
前記標的組織は、脾臓、肝臓、舌、または口蓋組織である、請求項８に記載の装置。
【請求項１１】
前記指標は、前記標的組織の特色の時間的傾向を含む、請求項１−７のいずれかに記載の装置。
【請求項１２】
前記少なくとも１つのアンテナは、複数のアンテナを含む、請求項１−７のいずれかに記載の装置。
【請求項１３】
前記処理回路は、前記標的組織の特色を空間的に分解するように、前記アンテナを多重静的モードで駆動するように構成される、請求項１２に記載の装置。
【請求項１４】
前記少なくとも１つのアンテナは、前記ケース内部に含有される、請求項１−７のいずれかに記載の装置。
【請求項１５】
前記少なくとも１つのアンテナは、基板上に印刷されたトレースを含み、前記ケースは、窓を含み、該アンテナは、該窓を通して前記波を受信するように構成される、請求項１４に記載の装置。
【請求項１６】
前記基板は、鑞付けによって、前記ケースに密閉される、請求項１５に記載の装置。
【請求項１７】
前記少なくとも１つのアンテナは、部分的に、前記ケース外部に位置し、該ケースへの密閉された鑞付けを介して前記処理回路に接続される、請求項１−７のいずれかに記載の装置。
【請求項１８】
前記少なくとも１つのアンテナは、基板上に印刷されたトレースと、該トレース背後のバックローブ抑制構造とを含む、請求項１−７のいずれかに記載の装置。
【請求項１９】
前記バックローブ抑制構造は、空気空洞および電磁バンドギャップ（ＥＢＧ）裏当てから成る構造の群から選択される、請求項１８に記載の装置。
【請求項２０】
前記少なくとも１つのアンテナは、スパイラルアンテナ、ボウタイアンテナ、楕円ボウタイアンテナ、およびスロット付きアンテナから成るアンテナタイプの群から選択される、請求項１−７のいずれかに記載の装置。
【請求項２１】
前記処理回路は、無線リンクを介して、前記特色の指標を前記身体外部の監視局に伝達するように構成される、請求項１−７のいずれかに記載の装置。
【請求項２２】
前記処理回路は、少なくとも１つの他の埋込み式デバイスと通信するように構成される、請求項１−７のいずれかに記載の装置。
【請求項２３】
前記少なくとも１つのアンテナはまた、前記身体外部の送信機への誘導リンクを介して、前記処理回路を給電するための電気エネルギーを受信するように構成される、請求項１−７のいずれかに記載の装置。
【請求項２４】
電力アンテナを含み、該電力アンテナは、前記身体外部の送信機への誘導リンクを介して前記処理回路に給電するための電気エネルギーを受信するように構成される、請求項１−７のいずれかに記載の装置。
【請求項２５】
前記身体内の電気信号を受信するために、前記ケース上に１つ以上の電極を含む、請求項１−７のいずれかに記載の装置。
【請求項２６】
生体インピーダンスセンサを含む、請求項１−７のいずれかに記載の装置。
【請求項２７】
埋込み式心臓デバイスを含み、該埋込み式心臓デバイスは、前記処理回路によって提供される前記指標に応答して、前記対象の心臓をペーシングするように構成される、請求項１−７のいずれかに記載の装置。
【請求項２８】
診断装置であって、
該装置は、
無線周波数（ＲＦ）反射器であって、該無線周波数（ＲＦ）反射器は、標的組織に近接して、ヒト対象の身体の中に埋め込まれるように構成される、無線周波数（ＲＦ）反射器と、
診断デバイスであって、該診断デバイスは、ＲＦ電磁波を該ＲＦ反射器に向かって伝送し、該ＲＦ反射器によって反射された該波を該標的組織を通して受信し、該標的組織の特色の指標を導出および出力するように該受信された波を処理するように構成される、診断デバイスと
を含む、装置。
【手続補正２】
【補正対象書類名】明細書
【補正対象項目名】０００８
【補正方法】変更
【補正の内容】
【０００８】
本発明は、例えば、以下を提供する：
（項目１）
診断装置であって、
該装置は、
密閉されたケースであって、該密閉されたケースは、生体適合性材料を含み、ヒト対象の身体内の埋込みのために構成される、密閉されたケースと、
少なくとも１つのアンテナであって、該少なくとも１つのアンテナは、標的組織に近接して該身体の中に埋め込まれ、該標的組織を通して伝搬された無線周波数（ＲＦ）電磁波を受信し、該受信された波に応答して信号を出力するように構成される、少なくとも１つのアンテナと、
処理回路であって、該処理回路は、該ケース内に含有され、該アンテナからの該信号を受信および処理するために連結されることにより、該標的組織の特色の指標を導出および出力する、処理回路と
を含む、装置。
（項目２）
前記少なくとも１つのアンテナは、前記波を前記身体の中に伝送し、前記標的組織を通る該波の伝搬後に、該伝送された波を受信するように構成される、項目１に記載の装置。
（項目３）
前記少なくとも１つのアンテナは、前記身体の中の組織からの前記波の反射後に、該波を受信するように構成され、前記処理回路は、前記対象の心拍および呼吸運動のうちの少なくとも１つに起因する該反射の変調を検出するように構成される、項目２に記載の装置。
（項目４）
前記変調は、前記心拍に起因する周期的変動を含む、項目３に記載の装置。
（項目５）
前記少なくとも１つのアンテナを含有する前記ケースから、前記標的組織を横断する場所の中の前記身体の中の埋込みのために構成された反射器を含み、該反射器は、該少なくとも１つのアンテナに向かって前記波を反射させるための構造としての役割を果たす、項目２に記載の装置。
（項目６）
前記反射器は、前記身体の中に埋め込まれる埋込み式心臓デバイス（ＩＣＤ）の一部である、項目５に記載の装置。
（項目７）
前記少なくとも１つのアンテナを含有する前記ケースから、前記標的組織を横断する場所の中の前記身体の中に埋め込まれ、該標的組織を通して前記波を伝送するように構成される送信機を含む、項目１に記載の装置。
（項目８）
前記処理回路は、前記標的組織の体液含有量の測定値を導出するように、前記信号を処理するように構成される、項目１−７のいずれかに記載の装置。
（項目９）
前記ケースは、胸部の中の埋込みのために構成され、前記標的組織は、肺組織である、項目８に記載の装置。
（項目１０）
前記標的組織は、脾臓、肝臓、舌、または口蓋組織である、項目８に記載の装置。
（項目１１）
前記指標は、前記標的組織の特色の時間的傾向を含む、項目１−７のいずれかに記載の装置。
（項目１２）
前記少なくとも１つのアンテナは、複数のアンテナを含む、項目１−７のいずれかに記載の装置。
（項目１３）
前記処理回路は、前記標的組織の特色を空間的に分解するように、前記アンテナを多重静的モードで駆動するように構成される、項目１２に記載の装置。
（項目１４）
前記少なくとも１つのアンテナは、前記ケース内部に含有される、項目１−７のいずれかに記載の装置。
（項目１５）
前記少なくとも１つのアンテナは、基板上に印刷されたトレースを含み、前記ケースは、窓を含み、該アンテナは、該窓を通して前記波を受信するように構成される、項目１４に記載の装置。
（項目１６）
前記基板は、鑞付けによって、前記ケースに密閉される、項目１５に記載の装置。
（項目１７）
前記少なくとも１つのアンテナは、部分的に、前記ケース外部に位置し、該ケースへの密閉された鑞付けを介して前記処理回路に接続される、項目１−７のいずれかに記載の装置。
（項目１８）
前記少なくとも１つのアンテナは、基板上に印刷されたトレースと、該トレース背後のバックローブ抑制構造とを含む、項目１−７のいずれかに記載の装置。
（項目１９）
前記バックローブ抑制構造は、空気空洞および電磁バンドギャップ（ＥＢＧ）裏当てから成る構造の群から選択される、項目１８に記載の装置。
（項目２０）
前記少なくとも１つのアンテナは、スパイラルアンテナ、ボウタイアンテナ、楕円ボウタイアンテナ、およびスロット付きアンテナから成るアンテナタイプの群から選択される、項目１−７のいずれかに記載の装置。
（項目２１）
前記処理回路は、無線リンクを介して、前記特色の指標を前記身体外部の監視局に伝達するように構成される、項目１−７のいずれかに記載の装置。
（項目２２）
前記処理回路は、少なくとも１つの他の埋込み式デバイスと通信するように構成される、項目１−７のいずれかに記載の装置。
（項目２３）
前記少なくとも１つのアンテナはまた、前記身体外部の送信機への誘導リンクを介して、前記処理回路を給電するための電気エネルギーを受信するように構成される、項目１−７のいずれかに記載の装置。
（項目２４）
電力アンテナを含み、該電力アンテナは、前記身体外部の送信機への誘導リンクを介して前記処理回路に給電するための電気エネルギーを受信するように構成される、項目１−７のいずれかに記載の装置。
（項目２５）
前記身体内の電気信号を受信するために、前記ケース上に１つ以上の電極を含む、項目１−７のいずれかに記載の装置。
（項目２６）
生体インピーダンスセンサを含む、項目１−７のいずれかに記載の装置。
（項目２７）
埋込み式心臓デバイスを含み、該埋込み式心臓デバイスは、前記処理回路によって提供される前記指標に応答して、前記対象の心臓をペーシングするように構成される、項目１−７のいずれかに記載の装置。
（項目２８）
診断装置であって、
該装置は、
無線周波数（ＲＦ）反射器であって、該無線周波数（ＲＦ）反射器は、標的組織に近接して、ヒト対象の身体の中に埋め込まれるように構成される、無線周波数（ＲＦ）反射器と、
診断デバイスであって、該診断デバイスは、ＲＦ電磁波を該ＲＦ反射器に向かって伝送し、該ＲＦ反射器によって反射された該波を該標的組織を通して受信し、該標的組織の特色の指標を導出および出力するように該受信された波を処理するように構成される、診断デバイスと
を含む、装置。
（項目２９）
診断方法であって、
該方法は、
標的組織に近接して、ヒト対象の身体の中に診断デバイスを埋め込むことと、
該標的組織を通して伝搬された無線周波数（ＲＦ）電磁波を該デバイスにおいて受信することと、
該標的組織の特色の指標を導出するように、該デバイスにおいて該受信された波を処理することと
を含む、方法。
（項目３０）
前記デバイスから前記身体の中に前記波を伝送することを含み、それにより、該デバイスは、前記標的組織を通した該波の伝搬後に、該伝送された波を受信する、項目２９に記載の方法。
（項目３１）
前記波は、前記身体の中の組織からの該波の反射後に、前記デバイスによって受信され、該受信された波を処理することは、前記対象の心拍および呼吸運動のうちの少なくとも１つに起因する該反射の変調を検出することを含む、項目３０に記載の方法。
（項目３２）
前記変調は、前記心拍に起因した周期的変動を含む、項目３１に記載の方法。
（項目３３）
前記少なくとも１つのアンテナを含有する前記ケースから、前記標的組織を横断する場所の中の前記身体の中に反射器を埋め込むことを含み、該反射器は、前記デバイスに向かって前記波を反射させるための構造としての役割を果たす、項目３０に記載の方法。
（項目３４）
前記反射器は、前記身体の中に埋め込まれる埋込み式心臓デバイス（ＩＣＤ）の一部である、項目３３に記載の方法。
（項目３５）
前記デバイスから前記標的組織を横断する場所の中の前記身体の中に送信機を埋め込むことと、前記波を該標的組織を通して該送信機から該デバイスに伝送することとを含む、項目２９に記載の方法。
（項目３６）
前記受信された波を処理することは、前記標的組織の体液含有量の測定値を導出することを含む、項目２９−３５のいずれかに記載の方法。
（項目３７）
前記診断デバイスは、胸部の中に埋め込まれ、前記標的組織は、前記対象の肺を含む、項目３６に記載の方法。
（項目３８）
前記標的組織は、脾臓、肝臓、舌、または口蓋組織である、項目３４に記載の方法。
（項目３９）
前記受信された波を処理することは、前記標的組織の特色の時間的傾向を算出することを含む、項目２９−３５のいずれかに記載の方法。
（項目４０）
前記デバイスは、複数のアンテナを含む、項目２９−３５のいずれかに記載の方法。
（項目４１）
前記ＲＦ電磁波を受信することは、前記標的組織の特色を空間的に分解するように、前記アンテナを多重静的モードで駆動することを含む、項目４０に記載の方法。
（項目４２）
前記埋込み式デバイスから、無線リンクを介して、前記身体外部の監視局まで前記特色の指標を伝達することを含む、項目２９−３５のいずれかに記載の方法。
（項目４３）
前記埋込み式デバイスと少なくとも１つの他の埋込み式デバイスとの間で通信することを含む、項目２９−３５のいずれかに記載の方法。
（項目４４）
前記身体外部の送信機への誘導リンクを介して、前記デバイスを給電するための電気エネルギーを受信することを含む、項目２９−３５のいずれかに記載の方法。
（項目４５）
前記デバイス上の１つ以上の電極を使用して、前記身体内の電気信号を受信することを含む、項目２９−３５のいずれかに記載の方法。
（項目４６）
前記デバイスと関連付けられたセンサを使用して、生体インピーダンスを測定することを含む、項目２９−３５のいずれかに記載の方法。
（項目４７）
前記デバイスによって提供される前記指標に応答して、前記対象の心臓をペーシングすることを含む、項目２９−３５のいずれかに記載の方法。
（項目４８）
前記デバイスを埋め込むことは、該デバイスの埋込みのための最適な場所を識別するために、前記身体外部の外部アンテナを使用することを含む、項目２９−３５のいずれかに記載の方法。
本明細書に後述される、本発明の実施形態は、ＲＦ電磁放射を使用して、組織特色を測定するための埋込み式デバイスと、そのようなデバイスを使用する測定および監視の方法を提供する。